(57)【要約】【課題】孔版印刷装置において、使用者が急いで印刷する際の版の消失を防ぐことができ、誤印刷防止が図れる構成の装置を提供する。【解決手段】版が版胴に残っている状態で、新しく印刷しようとするユーザーが操作パネル５０でなんらかの操作をすると、（１）印刷キー５１を点灯させる、（２）製版キー５２を押すとすぐに製版が始まらず、シグナル音で前の版が残っていることをユーザーに知らせる、（３）操作パネル５０の液晶モニタ５３に版が残っていることを表示する、（４）版のナンバーリングを自動的に行い、操作パネル５０の液晶モニタ５３に、版胴３に現在残っている版のナンバーを表示し、残っていている版が自分のものか他人のものか、わかるようにする、という動作のいずれか一つあるいは二つ以上の組合せにより版が版胴に残っていることをユーザーに報知する。【選択図】図３
2007130949.tif 000002
【特許請求の範囲】
【請求項１】
孔版印刷装置において、版胴に版が存在することをユーザーに知らせ得る報知手段を備えたことを特徴とする孔版印刷装置。
【請求項２】
請求項１の孔版印刷装置において、前記報知手段を操作部に設けたことを特徴とする孔版印刷装置。
【請求項３】
孔版印刷装置において、印刷装置と製版装置とを有し、これら両装置における製版操作と印刷操作の誤操作を防ぐ手段を備えたことを特徴とする孔版印刷装置。
【請求項４】
請求項３の孔版印刷装置において、前記誤操作防止手段を操作部に設けたことを特徴とする孔版印刷装置。
【請求項５】
孔版印刷装置において、印刷装置と製版装置とを有し、版胴に版が存在することをユーザーに知らせ得る報知手段と、前記印刷装置と前記製版装置における製版操作と印刷操作の誤操作を防ぐ手段とを備えたことを特徴とする孔版印刷装置。
【請求項６】
請求項５の孔版印刷装置において、前記報知手段及び前記誤操作防止手段を操作部に設けたことを特徴とする孔版印刷装置。
【請求項７】
請求項１から６のいずれかの孔版印刷装置において、重ね刷りの際の版位置を調整する手段と、元の位置に版を戻す手段とを備えたことを特徴とする孔版印刷装置。
【発明の詳細な説明】
【技術分野】
【０００１】
本発明は、孔版印刷装置に関する。
【背景技術】
【０００２】
図１は孔版印刷装置の一例の外観を示す斜視図である。図示のように、孔版印刷装置本体１の上面正面側に操作パネル２が設けてある。
【０００３】
図２は、感熱孔版印刷装置の構造の一例を示す概略構成図である。この感熱孔版印刷装置は、回転自在に支持した版胴３を中心とする印刷装置４と、版胴３に感熱孔版原紙（孔版原紙）５を加熱穿孔して製版したマスタ６として供給する製版装置７と、使用済みのマスタ６を版胴３から剥離して回収する排版装置８から構成してある。
【０００４】
印刷装置４においては、多孔性円筒状の版胴３は内部にインキローラ９、ドクターローラ１０及びインキ溜り１１を含むインキ供給機構１２を有し、外周面に形成されたスクリーン（図示せず）からインキを滲み出させるように構成してあり、外周の一部にはマスタ６の端部を把持するクランプ１３が開閉自在に設けてある。また、版胴３の外周にはレジストローラ１４により所定のタイミングで給紙される印刷用紙１５を版胴３の外周面に押圧するプレスローラ１６が接離自在に設けてあり、さらに、版胴３から印刷用紙１５を剥離させる進退自在な剥離爪１７が設けてある。
【０００５】
また、製版装置７は、プラテンローラ１８及びこのプラテンローラ１８に接離自在に対向配置した製版ヘッドとしてのサーマルヘッド１９と、ロール状に巻回した感熱孔版原紙５をこのサーマルヘッド１９に供給する供給ローラ２０と、サーマルヘッド１９により加熱穿孔した感熱孔版原紙５を版胴３側に向けて搬送する搬送ローラ２１と、製版済みの感熱孔版原紙５をマスタ６として所定長さに切断するカッタ２２と、ガイド板２３とで構成してある。
【０００６】
なお製版装置７におけるサーマルヘッド１９は製版前印刷用の印刷ヘッドとして共用するものであり、このサーマルヘッド１９に対して感熱孔版原紙５に代えて印刷媒体としての感熱紙２４を同一方向から給紙する給紙ローラ２５が設けてある。そしてサーマルヘッド１９の上流側位置には感熱孔版原紙５の給紙と感熱紙２４の給紙との給紙経路を切換える切換爪２６が切換え自在に設けてある。また、サーマルヘッド１９の下流側位置には感熱紙２４の給紙時にこの感熱紙２４をガイド板２３の切換えに従い排紙トレイ２７側にガイドするガイド板２８及び搬送ローラ２９が設けてある。
【０００７】
なお図示しないが、図示の感熱孔版印刷装置には、画像データ入力機器として、原稿画像を読取るためのイメージスキャナが搭載しているとともに、例えばパーソナルコンピュータ等の制御装置にも接続してある。
【特許文献１】特開２００１−１１３８１１号公報
【発明の開示】
【発明が解決しようとする課題】
【０００８】
上述のような従来の孔版印刷装置では、版が版胴に装着されている状態が外部からはわからないので、版が残っていることがわからず製版や印刷した場合、種々問題が生じる。
【０００９】
例えば、ある使用者がちょっと印刷機を離れたすきに、別の使用者が印刷機に印刷中の版が残っていることをわからず、自分の製版作業をしてしまい、孔版印刷装置に残っていた版が破棄されてしまうことになる。あるいは、うっかり他の人の版を印刷してしまうこともあり得る。学校等では、テスト問題や生徒資料がそのまま出てきてしまうことがある。
【００１０】
また従来の孔版印刷装置の操作部では、製版と印刷の誤操作（製版と印刷をまちがえる）が多かった。例えば製版／印刷のスタートキーが同じ大きさのため押し間違えが多いことや、現在どちらのモード（製版か印刷か）になっているのかが使用者にはわかりにくい等の問題があった。
【００１１】
また今までの画像位置調整は、キーを押した分だけ版が移動するため、調整作業終了後に元の位置へ戻すためには同じ回数キーを押しつづけなければならず、時間的にロスが多いという問題もあった。
【課題を解決するための手段】
【００１２】
本発明の請求項１に係る孔版印刷装置は、孔版印刷装置において、版胴に版が存在することをユーザーに知らせ得る報知手段を備えたことを特徴とする。
【００１３】
同請求項２に係るものは、請求項１の孔版印刷装置において、前記報知手段を操作部に設けたことを特徴とする。
【００１４】
同請求項３に係るものは、孔版印刷装置において、印刷装置と製版装置とを有し、これら両装置における製版操作と印刷操作の誤操作を防ぐ手段を備えたことを特徴とする。
【００１５】
同請求項４に係るものは、請求項３の孔版印刷装置において、前記誤操作防止手段を操作部に設けたことを特徴とする。
【００１６】
同請求項５に係るものは、孔版印刷装置において、印刷装置と製版装置とを有し、版胴に版が存在することをユーザーに知らせ得る報知手段と、前記印刷装置と前記製版装置における製版操作と印刷操作の誤操作を防ぐ手段とを備えたことを特徴とする。
【００１７】
同請求項６に係るものは、請求項５の孔版印刷装置において、前記報知手段及び前記誤操作防止手段を操作部に設けたことを特徴とする。
【００１８】
同請求項７に係るものは、請求項１から６のいずれかの孔版印刷装置において、重ね刷りの際の版位置を調整する手段と、元の位置に版を戻す手段とを備えたことを特徴とする。
【発明の効果】
【００１９】
本発明の孔版印刷装置においては、使用者が急いで印刷する際の版の消失を防ぐことができ、誤印刷防止が図れるという効果がある。
【発明を実施するための最良の形態】
【００２０】
以下本発明を実施するための最良の形態を、図に示す実施例を参照して説明する。なお以下では図示していなくても既述の従来の例と同等の構成については同一の符号を付して説明する。
【実施例１】
【００２１】
図３は本発明に係る孔版印刷装置の一実施例の操作パネルを示す平面図である。この操作パネル５０は、基本的な機能としては図１に示す操作パネル２と同様のものであるが。
【００２２】
本実施例の動作を以下に説明する。
まず、版、すなわちマスタ６が版胴３に残っている状態で、新しく印刷しようと原稿をもってきたユーザーが操作パネル５０の前に立ってなんらかの操作をすると、例えば以下のような動作のいずれか一つあるいは二つ以上の組合せにより版が版胴３に残っていることをユーザーに報知する。
（１）印刷キー５１を点灯させる。
（２）製版キー５２を押すとすぐに製版が始まらず、シグナル音で前の版が残っていることをユーザーに知らせる。この場合、さらに製版キー５２を押し続けると製版を始めるようにしてもよい。
（３）操作パネル５０の液晶モニタ５３に版が残っていることを表示する。
（４）版のナンバーリングを自動的に行い、操作パネル５０の液晶モニタ５３に、版胴３に現在残っている版のナンバーを表示し、残っていている版が自分のものか他人のものか、わかるようにする。
【００２３】
次に、新たに印刷する場合を説明すると、
（１）原稿を図示しないスキャナにセットする。
（２）操作パネル５０の製版キー５２を押す。
（３）スタートキー５４を押す。
（４）製版から印刷へのインジケーター５５が製版キー５２から印刷キー５１方向へ点滅移動しながら製版工程の推移を表示する。
（５）製版工程が終わると製版キー５２が消灯し、印刷キーが点灯する
（６）印刷枚数を指定して印刷工程に入る。
（７）印刷工程が終了しても、版胴３には版が残っているため、印刷キー５１は点灯し続ける。そして、既述のように、この状態で製版キー５２を押すとシグナル音が鳴り、前の版が残っていることをユーザーに知らせる。
【００２４】
そして実際に印刷をする場合を説明すると、
（１）印刷キー５１が点灯しているのを確認する。
（２）操作パネル５０の液晶モニタ５３で自分の版のナンバーを見て、これから印刷しようとしている版が自分のものであることを確認する。
（３）テンキー５６等により印刷枚数を設定する。
（４）スタートキー５４を押し、印刷を開始する。
【００２５】
さらに、製版から印刷まで刷り上りを確認せずにそのまま印刷する場合を説明する。
（１）連続キー５６を押す（連続キー５６は点灯する）。
（２）テンキー５６等により印刷枚数を設定する。
（３）スタートキー５４を押すことで製版から印刷まで自動運転する。
【００２６】
このような孔版印刷装置において、重ね刷りの際の版位置を調整する手段と、元の位置に版を戻す手段を説明する。図示の実施例では、液晶モニタ５３の図中左側に、ダイヤモンド型に配置した上下左右への移動キー５７・・・と、その中央に配置したデフォルト位置に戻すホームポジションキー５８を備えており、画像位置調整で画像を移動させても、ホームポジションキー５８を押すことで瞬時に画像を元の位置に戻せ、再度画像位置調整を行えるので、調整がしやすくなっている。
【図面の簡単な説明】
【００２７】
【図１】孔版印刷装置の一例の外観を示す斜視図
【図２】感熱孔版印刷装置の構造の一例を示す概略構成図
【図３】本発明に係る孔版印刷装置の一実施例の操作パネルを示す平面図
【符号の説明】
【００２８】
１  孔版印刷装置本体
２  操作パネル
３  版胴
４  印刷装置
５  感熱孔版原紙（孔版原紙）
６  マスタ
７  製版装置
８  排版装置
９  インキローラ
１０  ドクターローラ
１１  インキ溜り
１２  インキ供給機構
１３  クランプ
１４  レジストローラ
１５  印刷用紙
１６  プレスローラ
１７  剥離爪
１８  プラテンローラ
１９  サーマルヘッド
２０  供給ローラ
２１  搬送ローラ
２２  カッタ
２３  ガイド板
２４  感熱紙
２５  給紙ローラ
２６  切換爪
２７  排紙トレイ
２８  ガイド板
２９  搬送ローラ
５０  操作パネル
５１  印刷キー
５２  製版キー
５３  液晶モニタ
５４  スタートキー
５５  インジケーター
５６  テンキー
５７  移動キー
５８  ホームポジションキー
【図１】
2007130949.tif 000003
【図２】
2007130949.tif 000004
【図３】
2007130949.tif 000005